(57)【要約】【課題】トイレットペーパーを容易に引き出すことができるトイレルーム内の手洗ボウルの設置構造を提供すること。【解決手段】便器２、手洗ボウル３及びトイレットペーパーホルダ４が設けられたトイレルーム内の手洗ボウルの設置構造１では、トイレルーム１０は、少なくとも一方に便器２の前後方向と略平行に延びる側壁１２を有し、手洗ボウル３は、便器２よりも前方で側壁１２に沿って配置されるボウル部３１と、ボウル部３１における便器２側に位置する縁から下方に延びるとともに、側壁１２となす角度が鈍角となるように配置される傾斜面部３５２ａを有する配管カバー３４と、を備え、傾斜面部３５２ａと便器２との距離は、３００ｍｍ〜４００ｍｍであり、トイレットペーパーホルダ４は傾斜面部３５２ａに配置される。【選択図】図１
2018140084.tif 000002
【特許請求の範囲】
【請求項１】
便器、手洗ボウル及びトイレットペーパーホルダが設けられたトイレルーム内の手洗ボウルの設置構造であって、
前記トイレルームは、少なくとも一方に前記便器の前後方向と略平行に延びる側壁を有し、
前記手洗ボウルは、前記便器よりも前方で前記側壁に沿って配置されるボウル部と、
前記ボウル部における前記便器側に位置する縁から下方に延びるとともに、前記側壁となす角度が鈍角となるように配置される傾斜面部を有する手洗壁部と、を備え、
前記傾斜面部と前記便器との距離は、３００ｍｍ〜４００ｍｍであり、
前記トイレットペーパーホルダは前記傾斜面部に配置される、トイレルーム内の手洗ボウルの設置構造。
【請求項２】
前記手洗壁部は、前記ボウル部側に配置される上部壁部と、該上部壁部の下方に配置され、前記上部壁部よりも内側に窄まる下部壁部と、を有する、請求項１に記載のトイレルーム内の手洗ボウルの設置構造。
【発明の詳細な説明】
【技術分野】
【０００１】
本発明は、トイレルーム内の手洗ボウルの設置構造に関する。
【背景技術】
【０００２】
従来、トイレルーム内でトイレットペーパーを使用する場合、使用者は、便器に腰を掛けた状態で手を伸ばし、トイレットペーパーをトイレットペーパーホルダから引き出して、切断する。しかし、使用者の身体のどこかが不自由であったり、疾病がある場合、着座したまま手を伸ばして引き出して切断するという所作が、困難な場合がある。そこで、トイレットペーパーホルダを壁面に対して斜めに設置することで、トイレットペーパーを取り出しやすくした技術が知られている（例えば、特許文献１参照）。
【先行技術文献】
【特許文献】
【０００３】
【特許文献１】特開２０００−１９７５８３号公報
【発明の概要】
【発明が解決しようとする課題】
【０００４】
特許文献１に記載された技術のように、トイレットペーパーホルダを斜めに設置することができるようなトイレルームの壁面の角部が便座の近くにあればよいが、トイレルームが広くて角部が遠い場合もある。このように、トイレルームの構造によっては、トイレットペーパーホルダを斜めに設置することが難しい場合があった。一方、使用者に例えば腰痛がある場合、腰を浮かして手を伸ばす所作は、腰に大きな負担を与える。近年、腰痛に悩む高齢者が増加しており、着座した状態で身体に大きな負荷をかけずに、トイレットペーパーを引き出せる手洗ボウルの設置構造が望まれていた。
【０００５】
本発明は、トイレットペーパーを容易に引き出すことができるトイレルーム内の手洗ボウルの設置構造を提供することを目的とする。
【課題を解決するための手段】
【０００６】
本発明は、便器、手洗ボウル及びトイレットペーパーホルダが設けられたトイレルーム内の手洗ボウルの設置構造であって、前記トイレルームは、少なくとも一方に前記便器の前後方向と略平行に延びる側壁を有し、前記手洗ボウルは、前記便器よりも前方で前記側壁に沿って配置されるボウル部と、前記ボウル部における前記便器側に位置する縁から下方に延びるとともに、前記側壁となす角度が鈍角となるように配置される傾斜面部を有する手洗壁部と、を備え、前記傾斜面部と前記便器との距離は、３００ｍｍ〜４００ｍｍであり、前記トイレットペーパーホルダは前記傾斜面部に配置される、トイレルーム内の手洗ボウルの設置構造に関する。
【０００７】
また、前記手洗壁部は、前記ボウル部側に配置される上部壁部と、該上部壁部の下方に配置され、前記上部壁部よりも内側に窄まる下部壁部と、を有することが好ましい。
【発明の効果】
【０００８】
本発明によれば、トイレットペーパーを容易に引き出すことができるトイレルーム内の手洗ボウルの設置構造を提供することができる。
【図面の簡単な説明】
【０００９】
【図１】本実施形態のトイレルームを示す部分斜視図である。
【図２】本実施形態のトイレルームの平面図である。
【図３】本実施形態の手洗ボウルの正面図である。
【図４】本実施形態の手洗ボウルの側面図である。
【発明を実施するための形態】
【００１０】
以下、本発明の実施形態について、図面を参照しながら詳しく説明する。
図１は、本実施形態のトイレルーム内の手洗ボウルの設置構造１を示す部分斜視図である。図２は、本実施形態のトイレルーム１０の平面図であり、ドア１１を省略している。本明細書において、使用者が便器に着座した状態の前方を前、後方を後ろとし、前後を結ぶ方向を前後方向、前後方向に直交する方向を左右方向とする。
トイレルーム１０では、トイレルーム１０の開口部にドア１１が設けられ、閉鎖された空間内に、便器２と、手洗ボウル３と、トイレットペーパーホルダ４と、が設けられている。トイレルーム１０は、平面視で略長方形であり、長手方向の一方の側壁１２が便器２の前後方向に沿うとともに、短手方向の後壁１３が便器２の後方に、前方にドア１１が配置されている。
【００１１】
便器２は、トイレルーム１０後方の左右方向における略中央に配置されている。便器２は、洋式便器であり、便器本体２１と、便座２２と、便蓋２３と、タンク２４と、を有する。便器本体２１は、床面１４から所定高さ離間した位置に開口部を有する凹状部である。便座２２は、便器本体２１の開口部に沿って配置される。便蓋２３は、便器本体２１の開口部を覆う。タンク２４は、便器本体２１の後方に配置され、便器２に供給する水を貯留する。
【００１２】
手洗ボウル３は、トイレルーム１０の側壁１２に沿って配置され、例えば便器２の使用後に手等を洗うために利用される。手洗ボウル３は、ボウル部３１と、手洗カウンター３２と、水栓３３と、手洗壁部としての配管カバー３４と、を有する。
【００１３】
ボウル部３１は、上部が開口した凹部であり、水を貯留し排水する部分である。ボウル部３１は、便器２よりも前方で、トイレルーム１０の長手方向に延びる一の側壁１２に沿って配置される。ボウル部３１は、凹部の上端に沿う周縁３１１を有し、周縁３１１は、平面視概ね四角形で、トイレルーム１０の内部側に位置する角部が面取りされた形状をしている。より詳細には、ボウル部３１は、側壁１２に沿う後縁３１１ａと、側壁１２に対向するとともに略平行に延びる前縁３１１ｂと、後縁３１１ａ及び前縁３１１ｂを繋ぐ一対の側縁３１１ｃと、面取りした部分で側縁３１１ｃと前縁３１１ｂとを繋ぐ一対の前斜縁３１１ｄとを含む平面視略六角形となっている。ボウル部３１は、凹部の最も低い位置に形成される排水口３１２を有し、排水口３１２から下方に延びる排水管（図示省略）と連続している。
【００１４】
手洗カウンター３２は、ボウル部３１における周縁３１１から連続し、床面１４に平行に延びる平坦な面である。手洗カウンター３２は、側壁１２に沿ってトイレルーム１０の後壁１３に到達する。手洗カウンター３２は、ボウル部３１の周囲では、ボウル部３１の前縁３１１ｂ及び前斜縁３１１ｄの外側にわずかに延び、平面視では幅が一定の長細い板面の一部が、ボウル部３１の近傍で台形状に膨出するような形状をしている。手洗カウンター３２は、床面１４から略８００ｍｍ〜９００ｍｍ程度の高さＨに位置し（図３参照）、側壁１２に沿う面の幅Ｗ１は例えば１１０ｍｍ〜２５０ｍｍ程度である（図２参照）。
【００１５】
水栓３３は、手洗カウンター３２上でボウル部３１の近傍に配置され、ボウル部３１内に水を供給可能に設置されている。
【００１６】
図３は手洗ボウル３の正面図である。図３では、トイレットペーパーホルダ４を省略している。図４は手洗ボウル３の側面図である。
図３に示すように、配管カバー３４は、ボウル部３１の周縁３１１から下方に延びる部分である。配管カバー３４は、側壁１２に取り付けられ、ボウル部３１の排水口３１２に連結される排水管（図示せず）を覆うように配置される。配管カバー３４は、平面視略台形状で、ボウル部３１の外側に配置され、上部壁部３５と、下部壁部３６と、を有する。
【００１７】
上部壁部３５は、配管カバー３４のボウル部３１側に位置する正面視幅広の部分である。上部壁部３５は、手洗カウンター３２から下方に２９０ｍｍ〜３１０ｍｍ程度延出する。上部壁部３５は、正面部３５１と、傾斜面部３５２と、を有する。
【００１８】
正面部３５１は、ボウル部３１の手前側の周縁３１１から下方に延びる面である。正面部３５１は、側壁１２に対向し、側壁１２と略平行に延びる。正面部３５１は、使用者が手洗ボウル３の前に側壁に向かって立った場合に使用者に面する部分であり、平坦な略四角形の面である。
【００１９】
傾斜面部３５２は、正面部３５１の左右の端部から奥側へ向かって斜めに傾斜する面であり、便器２側とドア１１側に設けられる。傾斜面部３５２は、正面部３５１に対して例えば４０度〜５０度、好ましくは４５度傾斜している。傾斜面部３５２は、便器２側の傾斜面部３５２ａと、ドア１１側の傾斜面部３５２ｂとを有する。便器２側の傾斜面部３５２ａは、ボウル部３１における周縁３１１の便器２側から下方に延出する。ドア１１側の傾斜面部３５２ｂは、ボウル部３１における周縁３１１のドア１１側から下方に延出する。傾斜面部３５２は、正面部３５１と略同じ高さにある。
図２に戻って、便器２側の傾斜面部３５２ａと、便器２の外縁との距離Ｌ１は３００ｍｍ〜４００ｍｍとなっている。また、傾斜面部３５２と、側壁１２とがなす角度θは鈍角である。傾斜面部３５２ａ及び傾斜面部３５２ｂのそれぞれが、側壁１２に対してなす角度θは、同じである。
【００２０】
下部壁部３６は、上部壁部３５の下方に配置される。具体的には、下部壁部３６は、上部壁部３５の下端から床面１４まで延び、上部壁部３５とともに手洗ボウル３の配管等を覆う。図３に示すように、下部壁部３６の正面視の幅寸法Ｗ３は、上部壁部３５の幅Ｗ２よりも小さい。また、図４に示すように、下部壁部３６は、内側（内部の配管に近付く側）に向かって窄まっており、上部壁部３５の外周よりも、下部壁部３６の外周の方が小さい。下部壁部３６の奥行方向の寸法Ｄ２は、上部壁部３５の奥行方向の寸法Ｄ１よりも小さい。下部壁部３６は、上部壁部３５との連結部分から、下部壁部３６の上部の所定位置まで湾曲し、幅及び奥行の寸法が小さくなり、所定位置から下方へ向かって寸法が一定している。例えば、下部壁部３６の寸法が一定した部分では、奥行方向の寸法Ｄ２が、上部壁部３５の下端における奥行方向の寸法よりも５５ｍｍ〜６５ｍｍ程度小さくなっている。
なお、下部壁部３６の床面１４側では、幅寸法Ｗ３よりもさらに一段内側に窄まった外周の小さな部分が形成されている。
【００２１】
トイレットペーパーホルダ４は、便器２側の傾斜面部３５２ａに取り付けられる。トイレットペーパーホルダ４は、内部にトイレットペーパーを軸支する軸部（図示せず）と、軸部を保持する保持部４１と、トイレットペーパーを覆うカバー４２と、を有する。トイレットペーパーホルダ４は、傾斜面部３５２ａから便器２に向かって突出する。図２に示すように、トイレットペーパーホルダ４の便器２側の端部と、便器２の外縁との距離Ｌ２は、例えば２００〜３００ｍｍである。
【００２２】
以上のトイレルーム内の手洗ボウルの設置構造１により、使用者が便器２の便座２２に腰かけた状態で、苦痛なく手を伸ばした位置に、トイレットペーパーホルダ４が位置する。
また、手洗ボウル３の形状が平面視で略台形であるため、直線状の周縁が出現する。さらに、配管カバー３４の下部壁部３６が上部壁部３５よりも窄まっている。このため、使用者が車椅子や杖、カートのような歩行支援の支持体を使用していたり、疾病に関連する器具を装着していたような場合でも、手洗ボウル３の近傍で装置や器具をスムーズに移動させることが可能である。
【００２３】
本実施形態のトイレルーム内の手洗ボウルの設置構造１によれば、以下のような効果を奏する。
【００２４】
（１）  トイレルーム内の手洗ボウルの設置構造１において、トイレルーム１０を、少なくとも一方に便器２の前後方向と略平行に延びる側壁１２を含んで構成し、手洗ボウル３を、便器２よりも前方で側壁１２に沿って配置されるボウル部３１と、ボウル部３１における便器２側に位置する縁から下方に延びるとともに、側壁１２となす角度θが鈍角となるように配置される傾斜面部３５２ａを有する配管カバー３４と、を含んで構成した。また、傾斜面部３５２ａと便器２との距離は、３００ｍｍ〜４００ｍｍであり、トイレットペーパーホルダ４を傾斜面部３５２ａに配置した。
便器２の前方に手洗ボウル３が配置され、この手洗ボウル３の下方の配管カバー３４において、便器２との距離が３００ｍｍ〜４００ｍｍであるとともに、側壁１２となす角度θが鈍角である傾斜面部３５２ａにトイレットペーパーホルダ４が配置されている。このため、便器２の便座２２に腰を掛けた使用者は、傾斜面部３５２ａから突出しているトイレットペーパーホルダ４に無理のない姿勢で手を伸ばし、楽にトイレットペーパーをトイレットペーパーホルダ４から引き出し、切断して使用することができる。よって、身体のどこかに不自由な箇所や、疾病がある使用者でも、容易にイレットペーパーを容易に引き出すことができるので、身体に負担がかかりにくい。
【００２５】
（２）  配管カバー３４を、ボウル部３１側に配置される上部壁部３５と、上部壁部３５の下方に配置され、上部壁部３５よりも内側に窄まる下部壁部３６と、を含んで構成した。
配管カバー３４の下方に配置される下部壁部３６が、上部壁部３５よりも窄んでいるので、仮にトイレルーム１０が狭い場合であっても、便器２と下部壁部３６との間に、便器２と上部壁部３５との間よりも広い空間が形成される。このため、トイレルーム１０が清掃しやすくなったり、便器２と手洗ボウル３の間を通り抜けしやすい。使用者が杖等の支持体を使用している場合にも、杖等を操作しやすい。
【００２６】
以上、本発明の好ましい各実施形態について説明したが、本発明は、上述した各実施形態に制限されるものではなく、適宜変更が可能である。
例えば、上記実施形態では、略長方形のトイレルーム１０を例に説明したが、これに限られない。便器の前後方向に略平行な側壁を有していれば、トイレルーム１０の形状は限定されない。また、バスルームとトイレルームが一体的なユニットになった空間に設置されていてもよい。
【００２７】
また、手洗ボウル３が設置される側壁１２は、上記実施形態では、使用者が着座した状態で右手側であるが、これに限られない。着座した状態で左手にあってもよい。
【００２８】
また、上記実施形態では、手洗壁部として配管カバーを例示して説明したが、手洗壁部は、配管を覆うものでなくてもよい。手洗ボウルのボウル部３１の便器側の縁から下方に延びていれば、配管の位置は限定されず、ボウル部３１と一体のキャビネットであってもよい。
【００２９】
また、上記実施形態では、配管カバー３４は、正面部３５１と、正面部の両側に配置される傾斜面部３５２ａ、３５２ｂ、を有するものとして説明したが、これに限られない。トイレットペーパーホルダ４が手洗ボウル３の便器２側の周縁から下方に延出し、傾斜面部３５２ａと側壁１２とがなす角度θが鈍角であって、傾斜面部３５２ａと便器２との距離が３００ｍｍ〜４００ｍｍであれば、配管カバーの形状は、特に限定されない。
【００３０】
また、上記説明したトイレルーム内の配置は例示にすぎず、便器の前後方向に沿ったトイレルームの側壁に手洗ボウルが配置されるものであればよく、他の構成は限定されない。例えば、ドア１１は便器の前方に配置されているが、便器の左手に配置されていてもよい。
【符号の説明】
【００３１】
１  トイレルーム内の手洗ボウルの設置構造
２  便器
３  手洗ボウル
４  トイレットペーパーホルダ
１０  トイレルーム
１２  側壁
３１  ボウル部
３４  配管カバー（手洗壁部）
３５  上部壁部
３６  下部壁部
【図１】
2018140084.tif 000003
【図２】
2018140084.tif 000004
【図３】
2018140084.tif 000005
【図４】
2018140084.tif 000006